(57)【特許請求の範囲】
【請求項１】
ディフェーズ勾配パルスと、前記ディフェーズ勾配パルスの後に印加され、被検体の撮影部位からエコー信号を得るための読出し勾配パルスとを含むシーケンスを実行する磁気共鳴装置であって、
前記ディフェーズ勾配パルスおよび前記読出し勾配パルスを印加するための勾配コイルであって、前記読出し勾配パルスの立上り時間が終了する第１の時点から第１の時間が経過した第２の時点で、前記読出し勾配パルスの立下り時間が開始するように、前記読出し勾配パルスを印加する勾配コイルと、
前記第１の時点と前記第２の時点との間に生成される第1のエコー信号であって、前記第１の時点と前記第２の時点との間の第３の時点においてエコーピークが現れる第１のエコー信号と、前記第１の時点と前記第２の時点との間に生成される第２のエコー信号であって、前記第３の時点よりも遅い第４の時点においてエコーピークが現れる第２のエコー信号とを受信し、前記第１のエコー信号の情報と前記第２のエコー信号の情報とを含む第１のアナログ信号を出力する受信コイルと、
前記第１のアナログ信号を検波することにより得られた第２のアナログ信号のサンプリングが行われる期間を表すサンプリングウィンドウを設定する第１の設定手段であって、前記第1の時点と前記第２の時点との間の期間のうち、前記第１のエコー信号が生成される第1の期間は、前記サンプリングウィンドウに含まれず、前記第２のエコー信号が生成される第２の期間は、前記サンプリングウィンドウに含まれるように、前記サンプリングウィンドウを設定する第１の設定手段と、
前記サンプリングウィンドウ内において前記第２のアナログ信号を所定のサンプリング周波数でサンプリングし、サンプリングにより得られた各サンプリングデータをデジタルデータに変換することにより、前記第２のアナログ信号をデジタル信号に変換する変換手段と、
前記デジタル信号に基づいて得られたｋ空間データを用いて画像を生成する画像生成手段と、
を有する磁気共鳴装置。
【請求項２】
ディフェーズ勾配パルスと、前記ディフェーズ勾配パルスの後に印加され、被検体の撮影部位からエコー信号を得るための読出し勾配パルスとを含むシーケンスを実行する磁気共鳴装置であって、
前記ディフェーズ勾配パルスおよび前記読出し勾配パルスを印加するための勾配コイルであって、前記読出し勾配パルスの立上り時間が終了する第１の時点から第１の時間が経過した第２の時点で、前記読出し勾配パルスの立下り時間が開始するように、前記読出し勾配パルスを印加する勾配コイルと、
前記第１の時点と前記第２の時点との間に生成される第1のエコー信号であって、前記第１の時点と前記第２の時点との間の第３の時点においてエコーピークが現れる第１のエコー信号と、前記第１の時点と前記第２の時点との間に生成される第２のエコー信号であって、前記第３の時点よりも遅い第４の時点においてエコーピークが現れる第２のエコー信号とを受信し、前記第１のエコー信号の情報と前記第２のエコー信号の情報とを含む第１のアナログ信号を出力する受信コイルと、
前記第１のアナログ信号を検波することにより得られた第２のアナログ信号のサンプリングが行われる期間を表すサンプリングウィンドウを設定する第１の設定手段であって、前記第１の時点と前記第２の時点との間の期間を含むように、前記サンプリングウィンドウを設定する第１の設定手段と、
前記サンプリングウィンドウ内において前記第２のアナログ信号を所定のサンプリング周波数でサンプリングし、サンプリングにより得られた各サンプリングデータをデジタルデータに変換することにより、前記第２のアナログ信号をデジタル信号に変換する変換手段と、
前記デジタル信号に基づいて得られたｋ空間データを用いて画像を生成する画像生成手段であって、前記ｋ空間データのうち、前記第１のエコー信号の周波数成分のデータを除去し、前記第１のエコー信号の周波数成分のデータが除去された後のｋ空間データに基づいて、画像を生成する画像生成手段と、
を有する磁気共鳴装置。
【請求項３】
前記シーケンスを実行するためのスキャン手段を有し、
前記スキャン手段は、
静磁場を印加するための静磁場コイルと、
前記勾配コイルと、
ＲＦパルスを印加するためのＲＦコイルと、
を有する、請求項１又は２に記載の磁気共鳴装置。
【請求項４】
前記勾配コイルは、
位相エンコード方向に第１の位相エンコード勾配パルスを印加し、スライス選択方向に第２の位相エンコード勾配パルスを印加し、周波数エンコード方向に前記ディフェーズ勾配パルスおよび前記読出し勾配パルスを印加する、請求項３に記載の磁気共鳴装置。
【請求項５】
周波数エンコード方向に対応するｋｘ方向と、位相エンコード方向に対応するｋｙ方向とを用いて表されるｋｘ−ｋｙ面は、複数のビューを有しており、
前記スキャン手段は、
前記複数のビューのうちの一つのビューにデータが配置されるように、前記シーケンスを１回実行する、請求項４に記載の磁気共鳴装置。
【請求項６】
前記スキャン手段は、
前記複数のビューにデータが配置されるように、前記シーケンスを複数回実行する、請求項５に記載の磁気共鳴装置。
【請求項７】
前記複数のビューの各々はｋｘ方向に平行であり、
前記複数のビューはｋｙ方向に並んでいる、請求項５又は６に記載の磁気共鳴装置。
【請求項８】
前記複数のビューの各々は、ｋｘ方向の第１の範囲においてデータは配置されず、ｋｘ方向の第２の範囲においてデータが配置される、請求項５〜７のうちのいずれか一項に記載の磁気共鳴装置。
【請求項９】
前記勾配コイルは
前記第１の時点と前記第４の時点との間の時間が、前記第４の時点と前記第２の時点との間の時間よりも短くなるように、前記読出し勾配パルスを印加する、請求項１〜８のうちのいずれか一項に記載の磁気共鳴装置。
【請求項１０】
前記勾配コイルは、
前記読出し勾配パルスの前記第１の時点と前記第２の時点との間は、所定の勾配磁場強度が保持されるように、前記読出し勾配パルスを印加する、請求項９に記載の磁気共鳴装置。
【請求項１１】
前記被検体の撮像視野を設定する第２の設定手段を有する、請求項１〜１０のうちのいずれか一項に記載の磁気共鳴装置。
【請求項１２】
前記第２の設定手段は、
前記撮像視野の第１の方向の長さと、前記撮像視野の第２の方向の長さとを設定する、請求項１１に記載の磁気共鳴装置。
【請求項１３】
前記撮影部位は複数の部位を含んでおり、
前記第２の設定手段は、前記複数の部位の各々に対して、前記撮像視野を設定する、請求項１１又は１２に記載の磁気共鳴装置。
【請求項１４】
前記第１のエコー信号は、撮像視野の外側で発生したＭＲ信号により得られるものであり、
前記第２のエコー信号は、撮像視野の内側で発生したＭＲ信号により得られるものである、請求項１１〜１３のうちのいずれか一項に記載の磁気共鳴装置。
【発明の詳細な説明】
【技術分野】
【０００１】
本発明は、ディフェーズ勾配パルスおよび読出し勾配パルスを印加する磁気共鳴装置に関する。
【背景技術】
【０００２】
近年、造影剤を用いて被検体の各部位を流れる血流を画像化する様々な技術が普及している。この技術により、各部位の様々な血流情報を得ることが可能になっている。
【０００３】
一方、診断対象の部位によっては、診断対象の部位の体軸方向の範囲が広範囲になることがある。例えば、診断対象の部位が下肢の場合、下肢は体軸方向に長い部位であるので、撮像視野（ＦＯＶ：field of view）はできるだけ広くなるように設定される。しかし、撮像視野の体軸方向の長さの上限値は、例えば、４８ｃｍであるのに対し、下肢の長さは、成人では７０ｃｍ〜８０ｃｍ程度である。したがって、下肢のように広範囲に広がる部位を撮影する場合、撮像視野を下肢の長さに合わせて設定することができない。そこで、下肢のように広範囲に広がる部位を撮影する技術として、撮影中にテーブルを移動させながら、撮影部位の全体を画像化するマルチステーション技術が知られている（特許文献１参照）。
【先行技術文献】
【特許文献】
【０００４】
【特許文献１】特開２０１２−２３２１３７号公報
【発明の概要】
【発明が解決しようとする課題】
【０００５】
一般的に、テーブルを移動させながら撮影する場合、広範囲に広がる撮影部位に対応できるように、撮像視野はできるだけ広くなるように設定されており、更に、広い感度分布を持つ受信コイルが使用される。したがって、テーブルを移動させる撮影法は、勾配磁場の非線形性の影響を受けやすく、この結果、撮像視野の内側だけでなく、撮像視野の外側も励起されやすくなる。このため、撮像視野の外側で生じるＭＲ信号が原因で、アーチファクトが発生するという問題がある。
そこで、アーチファクトを低減することができる技術が望まれている。
【課題を解決するための手段】
【０００６】
本発明の第１の観点は、ディフェーズ勾配パルスと、前記ディフェーズ勾配パルスの後に印加され、被検体の撮影部位からエコー信号を得るための読出し勾配パルスとを含むシーケンスを実行する磁気共鳴装置であって、
前記ディフェーズ勾配パルスおよび前記読出し勾配パルスを印加するための勾配コイルであって、前記読出し勾配パルスの立上り時間が終了する第１の時点から第１の時間が経過した第２の時点で、前記読出し勾配パルスの立下り時間が開始するように、前記読出し勾配パルスを印加する勾配コイルと、
前記第１の時点と前記第２の時点との間に生成される第1のエコー信号であって、前記第１の時点と前記第２の時点との間の第３の時点においてエコーピークが現れる第１のエコー信号と、前記第１の時点と前記第２の時点との間に生成される第２のエコー信号であって、前記第３の時点よりも遅い第４の時点においてエコーピークが現れる第２のエコー信号とを受信し、前記第１のエコー信号の情報と前記第２のエコー信号の情報とを含む第１のアナログ信号を出力する受信コイルと、
前記第１のアナログ信号を検波することにより得られた第２のアナログ信号のサンプリングが行われる期間を表すサンプリングウィンドウを設定する第１の設定手段であって、前記第1の時点と前記第２の時点との間の期間のうち、前記第１のエコー信号が生成される第1の期間は、前記サンプリングウィンドウに含まれず、前記第２のエコー信号が生成される第２の期間は、前記サンプリングウィンドウに含まれるように、前記サンプリングウィンドウを設定する第１の設定手段と、
前記サンプリングウィンドウ内において前記第２のアナログ信号を所定のサンプリング周波数でサンプリングし、サンプリングにより得られた各サンプリングデータをデジタルデータに変換することにより、前記第２のアナログ信号をデジタル信号に変換する変換手段と、
前記デジタル信号に基づいて得られたｋ空間データを用いて画像を生成する画像生成手段と、
を有する磁気共鳴装置である。
【０００７】
本発明の第２の観点は、ディフェーズ勾配パルスと、前記ディフェーズ勾配パルスの後に印加され、被検体の撮影部位からエコー信号を得るための読出し勾配パルスとを含むシーケンスを実行する磁気共鳴装置であって、
前記ディフェーズ勾配パルスおよび前記読出し勾配パルスを印加するための勾配コイルであって、前記読出し勾配パルスの立上り時間が終了する第１の時点から第１の時間が経過した第２の時点で、前記読出し勾配パルスの立下り時間が開始するように、前記読出し勾配パルスを印加する勾配コイルと、
前記第１の時点と前記第２の時点との間に生成される第1のエコー信号であって、前記第１の時点と前記第２の時点との間の第３の時点においてエコーピークが現れる第１のエコー信号と、前記第１の時点と前記第２の時点との間に生成される第２のエコー信号であって、前記第３の時点よりも遅い第４の時点においてエコーピークが現れる第２のエコー信号とを受信し、前記第１のエコー信号の情報と前記第２のエコー信号の情報とを含む第１のアナログ信号を出力する受信コイルと、
前記第１のアナログ信号を検波することにより得られた第２のアナログ信号のサンプリングが行われる期間を表すサンプリングウィンドウを設定する第１の設定手段であって、前記第１の時点と前記第２の時点との間の期間を含むように、前記サンプリングウィンドウを設定する第１の設定手段と、
前記サンプリングウィンドウ内において前記第２のアナログ信号を所定のサンプリング周波数でサンプリングし、サンプリングにより得られた各サンプリングデータをデジタルデータに変換することにより、前記第２のアナログ信号をデジタル信号に変換する変換手段と、
前記デジタル信号に基づいて得られたｋ空間データを用いて画像を生成する画像生成手段であって、前記ｋ空間データのうち、前記第１のエコー信号の周波数成分のデータを除去し、前記第１のエコー信号の周波数成分のデータが除去された後のｋ空間データに基づいて、画像を生成する画像生成手段と、
を有する磁気共鳴装置である。
【発明の効果】
【０００８】
サンプリングウィンドウに、第１のエコー信号が生成される第1の期間が含まれないようにすることで、第１のエコー信号のデータはサンプリングされないので、アーチファクトが低減された画像を得ることができる。
【０００９】
また、ｋ空間データのうち、第１のエコー信号の周波数成分のデータを除去することにより、第１のエコー信号の周波数成分のデータを用いずに画像が生成されるので、アーチファクトが低減された画像を得ることができる。
【図面の簡単な説明】
【００１０】
【図１】本発明の第１の形態の磁気共鳴装置の概略図である。
【図２】制御部９が実現する手段の説明図である。
【図３】第１の形態で実行されるスキャンを概略的に示す図である。
【図４】撮影部位を概略的に示す図である。
【図５】本スキャンＭＳの説明図である。
【図６】フラクショナルエコーによりデータ収集されるｋ空間の領域を概略的に示す図である。
【図７】血流画像を生成するために実行される処理の流れを示すフロー図である。
【図８】撮像視野を概略的に示す図である。
【図９】プレスキャンＰＳの説明図である。
【図１０】コイル４および受信器８の動作の説明図である。
【図１１】別のサンプリング方法の説明図である。
【図１２】画像に現れたアーチファクトの一例を示す図である。
【図１３】エコー信号Ｅ１とエコー信号Ｅ２とを分けて示した図である。
【図１４】エコー信号Ｅ１による周波数成分のデータが配置される領域Ｒ１と、エコー信号Ｅ２による周波数成分のデータが配置される領域Ｒ２とを概略的に示す図である。
【図１５】第１の形態におけるサンプリング方法の説明図である。
【図１６】サンプリングウィンドウＷにより得られたｋ空間のデータと、サンプリングウィンドウＱにより得られたｋ空間のデータとの違いを示す図である。
【図１７】サンプリングウィンドウＱを用いた方法で生成された画像Ｄ２を示す図である。
【図１８】第２の形態において制御部９が実行する処理の説明図である。
【図１９】フィルタ処理の説明図である。
【発明を実施するための形態】
【００１１】
以下、発明を実施するための形態について説明するが、本発明は、以下の形態に限定されることはない。
【００１２】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１は、マグネット２、テーブル３、受信コイル４などを有している。
【００１３】
マグネット２は、被検体１３が収容される収容空間２１を有している。また、マグネット２は、静磁場を印加するための超伝導コイル２２、勾配パルスを印加するための勾配コイル２３、およびＲＦパルスを印加するためのＲＦコイル２４などが内蔵されている。尚、超伝導コイル２２の代わりに、永久磁石を用いてもよい。
【００１４】
テーブル３は、クレードル３ａを有している。クレードル３ａは、収容空間２１内に移動できるように構成されている。クレードル３ａによって、被検体１３は収容空間２１に搬送される。
【００１５】
受信コイル４は、被検体１３の下半身に取り付けられている。受信コイル４は、被検体１２から発生した磁気共鳴信号を受信する。
【００１６】
ＭＲ装置１は、更に、造影剤注入装置５、送信器６、勾配磁場電源７、受信器８、制御部９、記憶部１０、操作部１１、および表示部１２などを有している。
【００１７】
造影剤注入装置５は、被検体１３に造影剤を注入する。
送信器６はＲＦコイル２４に電流を供給し、勾配磁場電源７は勾配コイル２３に電流を供給する。受信器８は、受信コイル４から受け取った信号に対して、検波などの信号処理を実行する。尚、マグネット２、送信器６、および勾配磁場電源７を合わせたものがスキャン手段に相当する。
【００１８】
制御部９は、シーケンスの実行に必要な情報を送信器６および勾配磁場電源７に送信したり、画像を再構成するなど、ＭＲ装置１の各種の動作を実現するように、ＭＲ装置１の各部の動作を制御する。記憶部１０には、制御部９により実行されるプログラムなどが記憶されている。尚、プログラムを記憶した記憶部１０は、ハードディスク、ＣＤ−ＲＯＭなどの非一過性の記憶媒体であってもよい。制御部９は、記憶部１０に記憶されているプログラムを読み出し、プログラムに記述されている処理を実行するプロセッサとして動作する。制御部９は、プログラムに記述されている処理を実行することにより、種々の手段を実現する。図２は、制御部９が実現する手段の説明図である。
【００１９】
スライス設定手段１０１は、後述するスライスＬ０（図８参照）や撮影部位のスライスを設定する。
【００２０】
ＦＯＶ設定手段１０２は、後述する本スキャンＭＳにおいて撮像部位をスキャンするための撮像視野（図８参照）を設定する。
【００２１】
ウィンドウ設定手段１０３は、サンプリングウィンドウＱ（図１５参照）を設定する。サンプリングウィンドウＱは、受信器８においてアナログ信号のサンプリングが行われる期間を表すものである。サンプリングウィンドウＱについては後述する。
【００２２】
画像生成手段１０４は、スライスＬ０（図８参照）の画像や、撮影部位の画像を生成する。
【００２３】
制御部９は、記憶部１０に記憶されているプログラムを読み出すことにより、スライス設定手段１０１〜画像生成手段１０４などを実現する。尚、制御部９は、一つのプロセッサでスライス設定手段１０１〜画像生成手段１０４を実現してもよいし、２つ以上のプロセッサで、スライス設定手段１０１〜画像生成手段１０４を実現してもよい。
【００２４】
図１に戻って説明を続ける。
操作部１１は、オペレータにより操作され、種々の情報を制御部９に入力する。表示部１２は種々の情報を表示する。
ＭＲ装置１は、上記のように構成されている。
【００２５】
図３は第１の形態で実行されるスキャンを概略的に示す図、図４は撮影部位を概略的に示す図である。
第１の形態では、撮影部位は下肢である。部位ａ１は大腿部側の部位であり、部位ａ２は下腿部側の部位である。撮影部位には、部位ａ１およびａ２が含まれている。
【００２６】
本形態では、ローカライザスキャンＬＳ、プレスキャンＰＳ、および本スキャンＭＳなどが実行される。
【００２７】
ローカライザスキャンＬＳは、撮影部位のスライスの位置決めなどに使用される画像を取得するためのスキャンである。第１の形態では、撮影部位は下肢である（図４参照）。図４では、Ｘ方向は被検体の左右（Right-Left）方向に対応しており、Ｙ方向は前後（Anterior-Posterior）方向に対応し、Ｚ方向は頭尾（Superior-Inferior）方向に対応している。撮影部位は部位ａ１およびａ２を含んでいる。部位ａ１は大腿部側の部位であり、部位ａ２は下腿部側の部位である。
【００２８】
プレスキャンＰＳは、造影剤のボーラスが撮影部位の近くにまで到達したか否かを判断するために実行されるスキャンである。プレスキャンＰＳについては後で説明する（図９参照）。
【００２９】
本スキャンＭＳは、撮影部位の画像を取得するためのスキャンである。以下、本スキャンＭＳについて説明する。
【００３０】
図５は本スキャンＭＳの説明図である。
本スキャンＭＳでは、撮影部位の画像を取得するためのイメージングシーケンスＣが繰り返し実行される。本スキャンＭＳの前半のイメージングシーケンスＣは、撮影部位の大腿部側の部位ａ１を撮影するために実行される。本スキャンＭＳの後半のイメージングシーケンスＣは、撮影部位の下腿部側の部位ａ２を撮影するために実行される。
【００３１】
尚、部位ａ１を撮影するために実行されるイメージングシーケンスＣは、部位ａ２を撮影するために実行されるイメージングシーケンスＣと同じである。したがって、以下では、部位ａ１を撮影する例を取り上げて、イメージングシーケンスＣを説明する。
【００３２】
イメージングシーケンスＣは、撮影が行われる部位（ここでは、部位ａ１）を励起するための励起パルスＥＸを有している。また、イメージングシーケンスＣは、Ｘ方向（スライス選択方向）に印加されるスライス選択勾配パルスＳＰを有している。励起パルスＥＸおよびスライス選択勾配パルスＳＰにより、部位ａ１が励起される。
【００３３】
また、イメージングシーケンスＣは、Ｘ方向に印加される位相エンコード勾配パルスＥＰ１１およびリワインダーＥＰ１２と、Ｙ方向（位相エンコード方向）に印加される位相エンコード勾配パルスＥＰ２１およびリワインダーＥＰ２２とを有している。位相エンコード勾配パルスＥＰ１１およびＥＰ２１は、スライス選択勾配パルスＳＰの直後に印加される。
【００３４】
更に、イメージングシーケンスＣは、Ｚ方向（周波数エンコード方向）に印加されるディフェーズ勾配パルスＤＰおよび読出し勾配パルスＲＰを有している。ディフェーズ勾配パルスＤＰは、位相エンコード勾配パルスＥＰ１１およびＥＰ２１と同じタイミングで印加される。ディフェーズ勾配パルスＤＰが印加された直後に、読出し勾配パルスＲＰが印加される。
【００３５】
次に、図５の下側に示されている拡大図を参照しながら、ディフェーズ勾配パルスＤＰおよび読出し勾配パルスＲＰについて説明する。
【００３６】
ディフェーズ勾配パルスＤＰは時点ｔ１〜ｔ２の間に印加され（印加時間ＴＡ）、読出し勾配パルスは時点ｔ２〜ｔ６の間に印加される（印加時間ＴＢ）。
【００３７】
読出し勾配パルスＲＰの印加時間ＴＢは、３つの時間の和（立上り時間ＴＵ、フラット時間ＴＦ、および立下り時間ＴＤの和）で表される。立上り時間ＴＵ（時点ｔ２〜ｔ３）は、読出し勾配パルスＲＰの印加が開始されてから、読出し勾配パルスＲＰの勾配磁場強度ＨがＨ＝Ｈ１に到達するまでにかかる時間を表している。フラット時間ＴＦ（時点ｔ３〜ｔ５）は、読出し勾配パルスＲＰの勾配磁場強度Ｈが、Ｈ＝Ｈ１を保持している時間を表している。立下り時間ＴＤ（時点ｔ５〜ｔ６）は、フラット時間ＴＦの終了時点ｔ５から、読出し勾配パルスＲＰの勾配磁場強度ＨがＨ＝０に到達するまでにかかる時間を表している。
【００３８】
読出し勾配パルスＲＰが印加されている間、励起された部位から発生したＭＲ信号の位相が揃うことによりエコー信号Ｅ０が得られる。図５では、エコー信号Ｅ０のエコーピークが現れる時点が、「ｔ４」で示されている。したがって、励起パルスＥＸの印加時点を「ｔ０」で表した場合、エコー時間ＴＥは、時点ｔ０〜ｔ４の間の時間で表される。
【００３９】
また、本形態では、フラクショナルエコー（非対称エコー）によりｋ空間のデータが収集されるように、時点ｔ３〜ｔ４までの時間Ｆａは、時点ｔ４〜ｔ５までの時間Ｆｂよりも短い時間に設定されている。図６に、フラクショナルエコーによりデータ収集されるｋ空間の領域を概略的に示す。図６では、ｋｘ−ｋｙ面が示されている。ｋｘ方向は、周波数エンコード方向（Ｚ方向）に対応し、ｋｙ方向は、位相エンコード方向（Ｙ方向）に対応する。ｋｘ−ｋｙ面はＮ本のビューＶ１〜ＶＮを有している。各ビューはｋｘ方向に平行であり、Ｎ本のビューＶ１〜ＶＮはｋｙ方向に並んでいる。尚、ビューの数Ｎは、例えば、Ｎ＝１９２、Ｎ＝２５６であるが、図６では、説明の便宜上、Ｎ＝２０の例が示されている。
【００４０】
イメージングシーケンスＣを一回実行することにより、１ビュー分のデータが収集される。しかし、ｋｘ方向の全範囲（ｋｘ１〜ｋｘ４）のデータが収集されるわけではなく、ｋｘ１〜ｋｘ２の範囲ではデータは収集されず、ｋｘ２〜ｋｘ４の範囲においてのみデータが収集される。したがって、ｋｘ２〜ｋｘ４の範囲にはデータが配置されるが、ｋｘ１〜ｋｘ２の範囲にはデータは配置されない。図６ではデータが配置される領域が斜線で示されている。
【００４１】
図６において、ｋｘ２〜ｋｘ３の範囲のデータは、時間Ｆａ（時点ｔ３〜ｔ４）の間に収集されるデータであり、ｋｘ３〜ｋｘ４の範囲のデータは、時間Ｆｂ（時点ｔ４〜ｔ５）の間に収集されるデータである。尚、ｋｘ３は、ｋｘ−ｋｙ面におけるｋｘ方向の中心位置を表している。
【００４２】
図６では、各ビューの７５％のデータが収集される例が示されている。各ビューの７５％のデータを収集するためには、時間Ｆａは、時間Ｆｂの半分、即ち、Ｆａ＝Ｆｂ／２に設定すればよい。
【００４３】
図５に戻って説明を続ける。
本スキャンＭＳの前半においてイメージングシーケンスＣを実行することにより、部位ａ１の血流画像を得ることができる。部位ａ１の撮影が終了したら、撮影が行われる部位を、部位ａ１から部位ａ２に変更し、本スキャンＭＳの後半のイメージングシーケンスＣが繰り返し実行される。したがって、本スキャンＭＳの後半にイメージングシーケンスＣを実行することにより、部位ａ２の血流画像を得ることができる。
【００４４】
上記のように、フラクショナルエコーによりｋ空間のデータを収集した場合、エコー時間ＴＥを短くすることができるので、エコー信号Ｅ０の信号強度を大きくすることができる。したがって、フラクショナルエコーは、血液の信号を消失しにくくすることができるというメリットがある。このような理由から、グラディエントエコー法を用いて血液を画像化する場合、一般的には、フラクショナルエコーの技術が使用される。
【００４５】
次に、本形態において、血流画像を生成するために実行される具体的な処理の流れについて説明する。
【００４６】
図７は、血流画像を生成するために実行される処理の流れを示すフロー図である。
ステップＳＴ１では、ローカライザスキャンＬＳが実行される。ローカライザスキャンＬＳを実行することにより、スライスを設定するために使用される画像が得られる。ローカライザスキャンＬＳを実行した後、ステップＳＴ２に進む。
【００４７】
ステップＳＴ２では、オペレータは、ステップＳＴ４で実行される本スキャンＭＳにおける撮像視野を設定する。オペレータは、操作部１１（図１参照）を操作し、撮像視野を設定するための情報を入力する。この情報が入力されると、ＦＯＶ設定手段１０２（図２参照）は撮像視野を設定する。図８は撮像視野を概略的に示す図である。図８の上側には、被検体を前方（正面）から見た図が示されており、図８の下側には、被検体を横から見た図が示されている。図８において、撮像視野ＦＯＶ１は、部位ａ１を撮影するための撮像視野を表しており、撮像視野ＦＯＶ２は、部位ａ２を撮影するための撮像視野を表している。撮像視野ＦＯＶ１のＸ方向（ＲＬ方向）のサイズはｘ１（ｃｍ）であり、Ｚ方向（ＳＩ方向）のサイズはｚ１（ｃｍ）である。また、撮像視野ＦＯＶ２のＸ方向（ＲＬ方向）のサイズはｘ２（ｃｍ）であり、Ｚ方向（ＳＩ方向）のサイズはｚ２（ｃｍ）である。撮像視野ＦＯＶ１およびＦＯＶ２は、部位ａ１と部位ａ２との境界で重なるように設定される。撮影視野のサイズｘ１、ｘ２、ｚ１、およびｚ２は、例えば、４８ｃｍに設定することができるが、４８ｃｍ以上又は４８ｃｍ以下に設定することも可能である。
【００４８】
また、オペレータは、ローカライザスキャンＬＳにより得られた画像に基づいて、部位ａ１を横切るコロナル面のスライス（図示せず）と、部位ａ２を横切るコロナル面のスライス（図示せず）とを設定する。オペレータは、操作部を操作し、部位ごとにスライスを設定するための情報を入力する。この情報が入力されると、スライス設定手段１０１（図２参照）は、撮影部位の部位ａ１およびａ２におけるスライスを設定する。スライス設定手段１０１は、部位ごとに、１枚又は複数枚のスライスを設定することができる。ここでは、説明の便宜上、オペレータは、部位ａ１およびａ２の各々に、１枚のスライスを設定したとする。
【００４９】
更に、オペレータは、撮影部位の近くにスライスＬ０を設定する。オペレータは、操作部を操作し、スライスＬ０を設定するための情報を入力する。この情報が入力されると、スライス設定手段１０１はスライスＬ０を設定する。スライスＬ０は、プレスキャンＰＳにおいて使用されるコロナル面のスライスであり、造影剤のボーラスが撮影部位の近くに到達したか否かを判断するためのスライスである。スライスＬ０は、血管ＡをＹ方向（ＡＰ方向）に２分する位置に設定されている。撮像視野やスライスＬ０などを設定した後、ステップＳＴ３に進む。
【００５０】
ステップＳＴ３では、プレスキャンＰＳが実行される。以下、プレスキャンＰＳについて説明する。
【００５１】
図９はプレスキャンＰＳの説明図である。
オペレータは、プレスキャンＰＳを実行する前に、部位ａ１がマグネットセンターＭＣ（図１参照）に位置決めされるようにクレードル３ａの位置を調整する。部位ａ１をマグネットセンターＭＣに位置決めした後、プレスキャンＰＳが開始される。
【００５２】
プレスキャンＰＳでは、スライスＬ０（図８参照）の画像を取得するためのシーケンスのセットＢ１〜Ｂｚが繰り返し実行される。シーケンスの各セットは、複数のシーケンスＢを含んでいる。第１の形態では、シーケンスＢは、２Ｄグラディエントエコー法によりスライスＬ０のｋ空間のデータを収集するためのシーケンスである。画像生成手段１０４（図２参照）は、シーケンスのセットＢ１〜Ｂｚの各々が実行されるたびに、各セットにより得られたデータに基づいて、スライスＬ０の画像を生成する。図９では、シーケンスのセットＢ１〜Ｂｚにより得られた画像を、符号「ＩＭ１」、「ＩＭ２」、「ＩＭ３」、・・・「ＩＭｚ」で示してある。
【００５３】
プレスキャンＰＳにおいて、シーケンスのセットＢ１が実行されると、シーケンスのセットＢ１により得られたデータに基づいて、スライスＬ０の画像ＩＭ１が生成される。この画像ＩＭ１は、表示部１２に表示される。図９の下側に、表示部１２に表示された画像ＩＭ１が概略的に示されている。画像ＩＭ１は、シーケンスのセットＢ１が実行された直後に表示される。したがって、オペレータは、スライスＬ０の画像ＩＭ１を、ほぼリアルタイムで確認することができる。シーケンスのセットＢ１を実行した後、次のシーケンスのセットＢ２が実行される。シーケンスのセットＢ２が実行されることによりスライスＬ０の画像ＩＭ２が生成される。画像ＩＭ２が生成されると、表示部１２に表示される画像は更新され、画像ＩＭ２が表示される。
【００５４】
以下同様に、シーケンスのセットＢ３〜Ｂｚが実行され、シーケンスのセットが実行されるたびに、表示部１２に表示される画像が更新される。したがって、プレスキャンＰＳが実行されている間、スライスＬ０の画像を、ほぼリアルタイムで確認することができる。
【００５５】
一方、造影剤注入装置５（図１参照）は、プレスキャンＰＳの開始タイミングに同期して、造影剤の注入を開始する。図９では、シーケンスのセットＢ１の終了直後に造影剤が注入された例が示されている。造影剤が注入されると、造影剤は被検体の血管Ａ内を流れる。造影剤のボーラスが血管Ａに到達する前は血管Ａは低信号であるが、造影剤のボーラスが血管Ａに到達すると、血管Ａ内において、造影剤のボーラスが流れている部分は高信号になる。したがって、血管Ａ内に造影剤のボーラスが到達すると、表示部１２に表示されているコロナル画像の血管Ａ内の色は黒から白に変化する。このため、オペレータは、表示部１２に表示された画像を確認することにより、血管Ａに造影剤のボーラスが到達したか否かを判断することができる。
【００５６】
オペレータは、造影剤のボーラスが血管Ａ内の所望の部分に到達したと判断したら、操作部１１を操作し、本スキャンＭＳを実行するための命令を入力する。この命令が入力されると、ステップＳＴ３からステップＳＴ４に進む。
【００５７】
ステップＳＴ４では、本スキャンＭＳが実行される。本スキャンＭＳでは、図５に示すようにイメージングシーケンスＣが繰り返し実行される。イメージングシーケンスＣが実行されるたびに、エコー信号Ｅ０が発生する。
【００５８】
エコー信号Ｅ０はコイル４および受信器８で処理される。以下に、コイル４および受信器８の動作について説明する（図１０参照）。
【００５９】
図１０はコイル４および受信器８の動作の説明図である。
コイル４は、エコー信号Ｅ０を、エコー信号Ｅ０の情報を含むアナログ信号ＳＡに変換し、受信器８に出力する。
【００６０】
受信器８は、検波回路８ａおよびＡＤコンバータ８ｂを有している。検波回路８ａは、アナログ信号ＳＡを検波し、検波された後のアナログ信号ＳＢを出力する。ＡＤコンバータ８ｂは、所定のサンプリング周波数でアナログ信号ＳＢのサンプリングを行い、各サンプリングデータをデジタルデータに変換することにより、アナログ信号ＳＢをデジタル信号ＳＤに変換する。
【００６１】
以下に、ＡＤコンバータ８ｂにおいて実行されるサンプリングの方法について説明する。尚、以下の説明では、本形態の効果を明確にするために、先ず、本形態の方法とは別のサンプリング方法について説明し、別のサンプリング方法を説明した後で、本形態のサンプリング方法について説明する。
【００６２】
（１）本形態の方法とは別のサンプリング方法について
図１１は別のサンプリング方法の説明図である。
ウィンドウ設定手段１０３（図２参照）は、アナログ信号をサンプリングするための期間を表すサンプリングウィンドウＷを設定する。ＡＤコンバータ８ｂは、制御部９から、ウィンドウ設定手段１０３が設定したサンプリングウィンドウＷの情報を受け取る。そして、ＡＤコンバータ８ｂは、サンプリングウィンドウＷ内において、アナログ信号ＳＢのサンプリングを行う。図１１では、サンプリングウィンドウＷのウィンドウ幅は、読出し勾配パルスＲＰの時点ｔ３〜ｔ５の間の期間（フラット時間ＴＦ）に設定されている。したがって、ＡＤコンバータ８ｂは、時点ｔ３〜ｔ５の間に発生したエコー信号Ｅ０の情報を含むデータを所定のサンプリング周波数でサンプリングし、各サンプリングデータをデジタルデータに変換する。したがって、ＡＤコンバータ８ｂは、アナログ信号ＳＢをデジタル信号ＳＤに変換することができる。デジタル信号ＳＤは、制御部に送られる。
【００６３】
したがって、イメージングシーケンスＣを繰り返し実行することにより、図６に示すように、ｋ空間のビューごとに、ｋｘ２〜ｋｘ４の範囲におけるデータ（図６に示す斜線の部分）を得ることができる。ｋ空間のデータを収集した後、画像生成手段１０４は、ｋ空間のデータが収集されていないｋｘ１〜ｋｘ２の範囲に０（ゼロ）のデータを配置するゼロフィリングを行う。そして、ゼロフィリングされた後のｋ空間のデータをフーリエ変換する。したがって、部位ａ１の血流画像を得ることができる。
【００６４】
部位ａ１のスキャンを行った後、部位ａ２がマグネットセンターＭＣ（図１参照）に位置決めされるようにクレードル３ａを移動する。そして、部位ａ２の画像を得るためのイメージングシーケンスＣが繰り返し実行される。したがって、部位ａ２の血流画像を得ることができる。部位ａ２のスキャンを終了したら、本スキャンＭＳが終了する。
【００６５】
しかし、図１１のサンプリングウィンドウＷに基づいてサンプリングを行うと、画像にアーチファクトが現れることがわかった。図１２に、画像に現れたアーチファクトの一例を示す。図１２の画像Ｄ１は、被検体の大腿部のコロナル画像であるが、大腿部の内側にアーチファクトが表されている。画像診断をする場合、このようなアーチファクトはできるだけ低減されることが望まれる。そこで、本願発明者は、鋭意研究し、このアーチファクトが現れる原因を突き止めた。以下に、アーチファクトが現れる原因について説明する。
【００６６】
ＭＲ装置では、静磁場は収容空間２１の全体に渡って均一性が保持されていることが望ましく、勾配磁場は収容空間２１の全体に渡って線形性が保持されることが望ましい。しかし、収容空間２１の全体に渡って静磁場の均一性および勾配磁場の線形性を保持することは難しく、現実のＭＲ装置には、静磁場不均一や勾配磁場の非線形性という現象が現れる。したがって、静磁場不均一や勾配磁場の非線形性が原因で、実際には、撮像視野ＦＯＶ１およびＦＯＶ２（図８参照）の内側だけでなく、撮像視野ＦＯＶ１およびＦＯＶ２の外側でも励起が行われる。この結果、イメージングシーケンスＣを実行することにより得られるエコー信号は、撮像視野の内側から得られるエコー信号だけでなく、撮像視野の外側から得られるエコー信号も含んでいる。図１３に、撮像視野の外側の領域から得られるエコー信号を符号「Ｅ１」で示し、撮像視野の内側から得られるエコー信号を、符号「Ｅ２」で示す。本願発明者は、勾配磁場の非線形性と静磁場不均一との相乗効果により、撮像視野の外側から得られるエコー信号Ｅ１のエコーピークは、撮像視野の内側から得られるエコー信号Ｅ２のエコーピークよりも早いタイミングで現れることを見出した。
【００６７】
撮像視野の内側から得られるエコー信号Ｅ２のエコーピークは、時点ｔ４に現れる。一方、撮像視野の外側から得られるエコー信号Ｅ１のエコーピークは、時点ｔ４よりも早い時点ｔ３１に現れる。つまり、撮像視野の外側から得られるエコー信号Ｅ１のエコーピーク（時点ｔ３１）が先に現れ、撮像視野の内側から得られるエコー信号Ｅ２のエコーピーク（時点ｔ４）が後に現れる。
【００６８】
したがって、図１３に示すように、サンプリングウィンドウＷのウィンドウ幅を、時点ｔ３〜ｔ５の期間に設定してしまうと、サンプリングウィンドウＷに、撮像視野の外側から得られるエコー信号Ｅ１が生成される期間Ｗａが含まれる。このため、エコー信号Ｅ２のデータの他に、エコー信号Ｅ１のデータもサンプリングされるので、ｋ空間の各ビューには、エコー信号Ｅ２による周波数成分のデータの他に、エコー信号Ｅ１による周波数成分のデータも配置される。図１４に、エコー信号Ｅ１による周波数成分のデータが配置される領域Ｒ１と、エコー信号Ｅ２による周波数成分のデータが配置される領域Ｒ２とを概略的に示す。領域Ｒ１は、ｋｘ２〜ｋｘ２１の範囲の領域であり、領域Ｒ２は、ｋｘ２１〜ｋｘ４の範囲の領域である。サンプリングウィンドウＷを使用した場合、エコー信号Ｅ１のデータが画像再構成に使用されるので、アーチファクトが現れるという問題がある。
【００６９】
そこで、本形態では、エコー信号Ｅ１によるアーチファクトを低減するため、サンプリング方法を工夫している。以下に、本形態におけるサンプリング方法について説明する（図１５参照）。
【００７０】
（２）第１の形態におけるサンプリング方法について
図１５は第１の形態におけるサンプリング方法の説明図である。
第１の形態では、ウィンドウ設定手段１０３（図２参照）は、エコー信号Ｅ２が生成される期間（時点ｔ３２〜ｔ５）はサンプリングウィンドウＱに含まれるが、エコー信号Ｅ１が生成される期間（時点ｔ３〜時点ｔ３２）はサンプリングウィンドウＱに含まれないように、サンプリングウィンドウＱを設定する。したがって、サンプリングウィンドウＱのウィンドウ幅は、時点ｔ３２〜時点ｔ５の期間に設定される。ＡＤコンバータ８ｂは、サンプリングウィンドウＱ内においてアナログ信号ＳＢをサンプリングするので、エコー信号Ｅ２の情報を含むデータはサンプリングされるが、エコー信号Ｅ１の情報を含むデータはサンプリングされない。したがって、ＡＤコンバータ８ｂは、エコー信号Ｅ１の情報が除去されたデジタル信号ＳＤを出力することができる。
【００７１】
尚、時点ｔ３２の位置が時点ｔ３に近いほど、エコー信号Ｅ１の情報を含むデータのサンプリング量も多くなるので、アーチファクトを十分に低減することが難しくなる。一方、時点ｔ３２が、エコー信号Ｅ２のエコーピークが現れる時点ｔ４よりも遅い時間に設定されると、画像再構成に最低限必要となるｋ空間のデータを得ることができないという問題がある。したがって、時点ｔ３２の位置は、アーチファクトの低減と、必要なｋ空間のデータ量とのバランスを考えて設定することが望ましい。第１の形態では、各ビューの６０％のデータが得られるように、時点ｔ３２を設定している。図１６に、サンプリングウィンドウＷにより得られたｋ空間のデータと、サンプリングウィンドウＱにより得られたｋ空間のデータとの違いを示す。図１６（ａ）は、サンプリングウィンドウＷにより得られたｋ空間のデータを示し、図１６（ｂ）は、サンプリングウィンドウＱにより得られたｋ空間のデータを示す。
【００７２】
サンプリングウィンドウＷを使用した場合（図１６（ａ）参照）、領域Ｒ１にはエコー信号Ｅ１のデータが配置されるので、エコー信号Ｅ１によるアーチファクトが現れる。しかし、サンプリングウィンドウＱを使用した場合（図１６（ｂ）参照）、領域Ｒ１にはエコー信号Ｅ１は配置されないので、エコー信号Ｅ１によるアーチファクトを低減することができる。
【００７３】
尚、図１６（ａ）では、各ビューにおいて７５％のデータが得られるので、ゼロフィリング法を用いて画像再構成が行われる。しかし、図１６（ｂ）では、エコー信号Ｅ１がサンプリングされないので、ｋｘ２〜ｋｘ２１の範囲におけるデータは得られず、各ビューにおいて６０％のデータしか得られない。したがって、サンプリングウィンドウＱを用いた場合、画像生成手段１０４は、画像再構成の手法として、ハーフフーリエ（Half Fourier）法を用いることができる。
【００７４】
以上説明したように、第１の形態では、エコー信号Ｅ１の情報を含むデータがサンプリングされないように、サンプリングウィンドウＱが設定されている（図１５参照）。したがって、アーチファクトを低減することができる。
【００７５】
サンプリングウィンドウＱを用いることによりアーチファクトが低減されることを検証するために、サンプリングウィンドウＱを用いた方法で画像を生成した。図１７に、サンプリングウィンドウＱを用いた方法で生成された画像Ｄ２を示す。尚、図１７では、比較のため、サンプリングウィンドウＷを用いた方法で生成された画像Ｄ１（図１２参照）も示してある。
【００７６】
画像Ｄ１およびＤ２を比較すると、画像Ｄ２には、画像Ｄ１で現れているアーチファクトが低減されていることが分かる。
【００７７】
（２）第２の形態
第１の形態では、エコー信号Ｅ２のデータはサンプリングされるがエコー信号Ｅ１のデータはサンプリングされないようにサンプリングウィンドウＱを設定することにより、アーチファクトを低減する例について説明されている。第２の形態では、エコー信号Ｅ１およびＥ２の両方のエコー信号をサンプリングするサンプリングウィンドウＷを設定するが、アーチファクトを低減できる方法について説明する。尚、ＭＲ装置のハードウェア構成は、第１の形態と同じである。
【００７８】
図１８は第２の形態において制御部９が実行する処理の説明図である。
スライス設定手段１０１およびＦＯＶ設定手段１０２は、第１の形態と同じであるので、説明は省略する。
【００７９】
ウィンドウ設定手段１０３は、ＡＤコンバータ８ｂにおいてアナログ信号がサンプリングされる期間を表すサンプリングウィンドウＷ（図１３参照）を設定する。
【００８０】
画像生成手段１０４は撮影部位の画像を生成する。画像生成手段１０４は、フィルタ手段１０５および再構成手段１０６を有している。フィルタ手段１０５は、ｋ空間データをフィルタ処理する。フィルタ処理については後述する。再構成手段１０６は、フィルタ手段１０５のフィルタ処理により得られたｋ空間データに基づいて、画像を再構成する。
【００８１】
制御部９は、記憶部１０に記憶されているプログラムを読み出すことにより、スライス設定手段１０１〜画像生成手段１０４などを実現する。
【００８２】
次に、第２の形態におけＭＲ装置の処理について、図７のフローを参照しながら説明する。
ステップＳＴ１〜ステップＳＴ３は、第１の形態と同じである。したがって、ステップＳＴ１〜ＳＴ３の説明は省略する。ステップＳＴ３において、オペレータは、表示部１２に表示されている画像を確認し（図９参照）、造影剤のボーラスが血管Ａ内の所望の部分に到達したと判断したら、操作部１１を操作し、本スキャンＭＳを実行するための命令を入力する。この命令が入力されると、ステップＳＴ４に進む。
【００８３】
ステップＳＴ４では本スキャンＭＳが実行される。本スキャンＭＳでは、第１の形態と同様に、イメージングシーケンスＣ（図５参照）が繰り返し実行される。したがって、イメージングシーケンスＣが実行されるたびにエコー信号が発生する。エコー信号はコイル４および受信器８で処理される。以下に、第２の形態におけるコイル４および受信器８の動作について、図１３を参照しながら説明する。
【００８４】
第２の形態でも、第１の形態と同様に、イメージングシーケンスＣを実行することにより、撮像視野の外側から得られたエコー信号Ｅ１と、撮像視野の内側から得られたエコー信号Ｅ２とが生成される。
【００８５】
エコー信号Ｅ１およびＥ２はコイル４で受信される。コイル４は、エコー信号Ｅ１およびＥ２を、エコー信号Ｅ１およびＥ２の情報を含むアナログ信号ＳＡに変換し、受信器８に出力する。
【００８６】
受信器８は、検波回路８ａおよびＡＤコンバータ８ｂを有している。検波回路８ａは、アナログ信号ＳＡを検波し、検波された後のアナログ信号ＳＢを出力する。ＡＤコンバータ８ｂは、アナログ信号ＳＢをデジタル信号ＳＤに変換する。以下に、第２の形態においけるＡＤコンバータ８ｂの動作について説明する。
【００８７】
ＡＤコンバータ８ｂは、制御部９から、ウィンドウ設定手段１０３（図１８参照）が設定したサンプリングウィンドウＷの情報を受け取る。サンプリングウィンドウＷは、アナログ信号ＳＢをサンプリングするための期間を表しており、第２の形態では、サンプリングウィンドウＷのウィンドウ幅は、読出し勾配パルスＲＰの時点ｔ３〜ｔ５の間の期間（フラット時間ＴＦ）に設定されている。したがって、ＡＤコンバータ８ｂは、時点ｔ３〜ｔ５の間に発生したエコー信号Ｅ１およびＥ２の情報を含むデータを所定のサンプリング周波数でサンプリングし、各サンプリングデータをデジタルデータに変換する。したがって、ＡＤコンバータ８ｂは、アナログ信号ＳＢをデジタル信号ＳＤに変換することができる。デジタル信号ＳＤは、制御部に送られる。
【００８８】
したがって、イメージングシーケンスＣを繰り返し実行することにより、ｋ空間のデータを得ることができる。図１４に、イメージングシーケンスＣを実行することにより得られたｋ空間のデータを概略的に示す。第２の形態では、サンプリングウィンドウＷのウィンドウ幅は、時点ｔ３〜ｔ５の期間に設定されているので、領域Ｒ１には、エコー信号Ｅ１の周波数成分のデータが配置され、領域Ｒ２には、エコー信号Ｅ２の周波数成分のデータが配置される。
【００８９】
したがって、ｋ空間データにゼロフィリングを実行し、ゼロフィリングされたｋ空間のデータをフーリエ変換すると、画像Ｄ１（図１２参照）に見られるようなアーチファクトが現れる。そこで、第２の形態では、領域Ｒ１から、エコー信号Ｅ１による周波数成分のデータを除去するためのフィルタ処理を実行する（図１９参照）。
【００９０】
図１９はフィルタ処理の説明図である。
フィルタ手段１０５（図１８参照）は、領域Ｒ１に配置されたエコー信号Ｅ１の周波数成分のデータを除去するためのフィルタ処理を実行する。このフィルタ処理により、領域Ｒ２のデータを残したまま、領域Ｒ１のデータを除去することができる。再構成手段１０６（図１８参照）は、フィルタ処理されたｋ空間のデータに対してハーフフーリエ法を適用することにより、画像を再構成する。
【００９１】
第２の形態では、領域Ｒ１に、エコー信号Ｅ１のデータが配置される（図１４参照）。しかし、領域Ｒ１のデータは、フィルタ処理により除去され（図１９参照）、フィルタ処理された後のｋ空間のデータに基づいて画像が再構成される。したがって、第２の形態でも、第１の形態と同様に、アーチファクトを低減することができる。
【００９２】
第１および第２の形態では、ｋ空間の各ビューの一部のデータを収集するフラクショナルエコーの例について説明した。しかし、本発明は、フラクショナルエコーの例に限定されることはなく、ｋ空間の各ビューの全部のデータを収集する撮影方法にも適用することができる。
【００９３】
第１および第２の形態では、クレードルを移動させながら撮影する例について説明されている。しかし、本発明は、クレードルを移動させずに被検体を撮影する例にも適用することができる。
【００９４】
第１および第２の形態では、造影撮影の例について説明したが、本発明は非造影撮影にも適用することができる。
【００９５】
第１および第２の形態では、撮影部位は下肢であるが、撮影部位は下肢に限定されることはなく、上半身を撮影部位としてもよいし、被検体の全身を撮影部位としてもよい。
【００９６】
第１および第２の形態では、血流画像を取得する例について説明されているが、本発明は、血流画像とは別の画像を取得する場合にも適用できる。
【符号の説明】
【００９７】
１  ＭＲ装置
２  マグネット
３  テーブル
３ａ  クレードル
４  受信コイル
５  造影剤注入装置
６  送信器
７  勾配磁場電源
８  受信器
９  制御部
１０  記憶部
１１  操作部
１２  表示部
１３  被検体
２１  ボア
２２  超伝導コイル
２３  勾配コイル
２４  ＲＦコイル
１０１  スライス設定手段
１０２  ＦＯＶ設定手段
１０３  ウィンドウ設定手段
１０４  画像生成手段
１０５  フィルタ手段
１０６  再構成手段
【図１】
0006576726.tif 000002
【図２】
0006576726.tif 000003
【図３】
0006576726.tif 000004
【図４】
0006576726.tif 000005
【図５】
0006576726.tif 000006
【図６】
0006576726.tif 000007
【図７】
0006576726.tif 000008
【図８】
0006576726.tif 000009
【図９】
0006576726.tif 000010
【図１０】
0006576726.tif 000011
【図１１】
0006576726.tif 000012
【図１２】
0006576726.tif 000013
【図１３】
0006576726.tif 000014
【図１４】
0006576726.tif 000015
【図１５】
0006576726.tif 000016
【図１６】
0006576726.tif 000017
【図１７】
0006576726.tif 000018
【図１８】
0006576726.tif 000019
【図１９】
0006576726.tif 000020